(57)【要約】【課題】簡単な操作によって平面や曲面を収納および展開可能であり、面形状を保持可能な平面や曲面の収納装置を提供すること。【解決手段】支持部は面の枠や裏一面に配置され、弾性物や形状記憶合金などを利用することにより面が巻き取り収納状態から展開されたときには剛性の高い形状になることによって面の形状を保持する。面の巻き取りや展開については、モータやばねを動力として使用することにより簡単な操作により面の収納および展開が可能となる。【選択図】図１
2006113504.tif 000002
【特許請求の範囲】
【請求項１】
巻き取り収納可能な面と、面の形状を維持する面支持部と、面を巻取り収納する面巻取り部とを具備することを特徴とする面収納装置
【請求項２】
請求項１記載の面収納装置において、面を使用可能なように展開する面展開手段を合わせて具備したことを特徴とする面収納装置
【請求項３】
請求項１および請求項２に記載の面収納装置において、面上に情報表示手段を備えることを特徴とする面収納装置
【発明の詳細な説明】
【発明の詳細な説明】
【技術分野】
【０００１】本発明は、平面や曲面の収納装置に関し、特に、電子ペーパーなどの表示部を有する平面や曲面の収納装置に関する。
【従来技術】
【０００２】情報を表示するための装置として、液晶ディスプレイやプラズマディスプレイ、電子ペーパーといった薄型の装置が開発されておりテレビやパソコン、モバイル機器、デジタルカメラや携帯電話といった様々なものに応用されている。しかし、これらの表示装置は場所をとり、モバイル機器や携帯電話などの小型化を阻害する要因となっている。
【０００３】このような問題に対して、特開平１０−３１９８８９号および特開平１１−９５６９２号では、表示部を本体内部に巻き取るようにすることにより解決している。また、特開２００３−２７４２５０号では、可撓性のディスプレイを巻き取り、送り出しをモータによって行えるようにしている。
【発明が解決しようとする課題】
【０００４】上記の従来技術において、特開平１１−９５６９２号では、表示面の形状を保持するための特段の考慮はなされていなかった。特開平１０−３１９８８９号および特開２００３−２７４２５０号では、巻き取ってあった面を完全に展開した後に支持部に固定することで表示面の形状を保持することができるが、これでは、表示面を展開するためには支持部の操作および表示面の固定を行う必要があり、操作が煩雑になってしまう。この問題に対し、特開平１１−１０９８８０号では、形状記憶合金を用いることにより、丸めたり折り畳んだりした表示面を平面状に展開する技術が開示されているが、この技術では巻き取り機構との組み合わせについて考慮されておらず、単純に巻き取り機構と組み合わせて使おうとすれば、巻き取られている全ての面が送り出されて形状記憶合金の効果によって平面状に進展するまでの間は表示面が曲がった状態になってしまう。
【０００５】そこで、本発明の目的は、簡単な操作によって平面や曲面を収納および展開可能であり、面形状を保持可能な平面や曲面の収納装置を提供することである。
【課題を解決するための手段】
【０００６】前述の課題を解決するために、本発明は、巻き取り収納可能な支持部を持ち、この支持部によって面形状を保持することを特徴とした平面や曲面の収納装置である。
【０００７】支持部は面の枠や裏一面に配置され、弾性物や形状記憶合金などを利用することにより面が巻き取り収納状態から展開されたときには剛性の高い形状になることによって面の形状を保持する。面の巻き取りや展開については、モータやばねを動力として使用することにより簡単な操作により面の収納および展開が可能となる。また、収納可能な面に写真などの印刷物や電子ペーパなどの可撓性のディスプレイを固定することにより収納可能な表示面として使用することができる。
【実施の形態】
【０００８】本発明の実施形態を図を用いて説明する。
【０００９】図１は、平面を収納可能にした実施例の斜視図である。支持部１０１に巻き取り収納可能な平面１０２が固定されており、ローラ１０３によって巻き取り装置に導かれている。図１では、支持部として弾性物を利用し、巻き取り装置としてぜんまいばね１０４を利用している。この例では、巻き取り装置としてばねを使用しているので、平面１０２を展開するには人の手によって引き出す必要がある。
【００１０】支持部１０１は平面１０２の枠として取り付けられており、元々直線の形状をしているので、平面１０２が引き出された時点で直線状になり、巻き取り収納されていた平面１０２は支持部１０１の弾性力によって平面状になる。支持部１０１の断面は巻き取り装置によって巻き取り収納されているときには直線状になっているが、平面１０２を展開した状態では弾性力により図２に示すような形状に変形することにより展開した平面１０２の形状が保持されるための剛性を得る。このように支持部１０１の断面形状は直線状から図２に示すような形状に変形するため、平面１０２と支持部１０１とは、支持部１０１の断面のどちらか一端でのみ固定されている。
【００１１】ローラ１０３は展開された平面を支える役割も果たしており、下側のローラは枠の図２のような断面形状を維持しつつ支えるために図３のような形状をしている。
【００１２】この例では、巻き取りのみでばねを動力としているが、図４のように送り出し用モータ４０１を備えることにより平面の展開・収納の両方を自動にすることもできる。また、図５のように巻き取り装置にばねを使用せずにモータ５０１の正転・逆転により平面を展開・収納することもできる。このときには、巻き取り／展開量検出手段を用いるか、巻き取り／展開終了検知手段を用いてモータ５０１を制御する。
【００１３】図６は、支持部１０１として形状記憶合金を使用する場合の例である。支持部１０１は平面１０２の枠として取り付けられており、形状記憶合金は図７に示す断面を持つ直線状の形状を記憶している。形状記憶合金の枠は図８に示すような円錐形の端を持つローラによって平面状に伸ばされ巻き取り装置に巻き取られている。
【００１４】展開時にはローラ付近に設置された電極により枠を通り反対側の電極まで、つまり展開されている部分にだけ通電することにより過熱され、元の図７に示す形状に復元し、これにより高い剛性を得る。展開時に曲面を得たいような場合には、形状記憶合金に曲面を記憶させておけばよい。
【００１５】図９は、本発明をペンに応用した例である。この例のように、本発明をペンに応用することにより写真やメモなどを好きなときに展開して見ることが可能になる。平面には付箋のようなものを貼り付けることにより一時的なメモをペンと一緒に持ち歩き、必要に応じて平面を展開してメモを見ながらペンによる書き作業を行うことが可能である。
【００１６】また、電子ペーパーを固定しておき、ペン内部に備えた情報記憶装置に情報を取り込むことにより必要に応じて平面で表示させる情報を変更することも可能である。
【００１７】平面をフィルム状のレンズにすることによりレンズ付きペンとすることもできる。
【００１８】図１０は、本発明を携帯電話に応用した例である。平面の展開・収納ともに動力を使用することにより簡単なボタン操作だけで画面を展開・収納することができる。また、必要に応じて展開する平面の長さを変えることもできる。電話発信時に発信番号を確認する時には平面を少しだけだし、メールの読み書きのように表示する情報量が多いときには平面を大きく展開して利用することもできる。
【００１９】本発明の応用は、上記のような携帯物に限らず、据え置き型の表示装置や壁などに収納可能なテープルなど様々なものに応用することができる。
【効果】
【００２０】本発明によれば、必要に応じて収納／展開可能な剛性に優れた平面や曲面を得ることができるため、ペンや携帯電話などの携帯物に大型の表示装置などを取り付けることができるようになる。また、据え置き型の表示装置や収納可能なテーブルのように面状のものを収納する様々なものに応用することができる。
【図面の簡単な説明】
【図１】発明の斜視図
【図２】支持部の断面形状の例
【図３】ローラの形状の例
【図４】発明の斜視図
【図５】発明の斜視図
【図６】発明の斜視図
【図７】支持部の断面形状の例
【図８】ローラの形状の例
【図９】ペンに応用した例
【図１０】携帯電話に応用した例
【符号の説明】
１０１は、支持部
１０２は、平面
１０３は、ローラ
１０４は、ぜんまいばね
４０１は、送り出し用モータ
５０１は、モータ
【図１】
2006113504.tif 000003
【図２】
2006113504.tif 000004
【図３】
2006113504.tif 000005
【図４】
2006113504.tif 000006
【図５】
2006113504.tif 000007
【図６】
2006113504.tif 000008
【図７】
2006113504.tif 000009
【図８】
2006113504.tif 000010
【図９】
2006113504.tif 000011
【図１０】
2006113504.tif 000012